(57)【要約】【課題】充電器使用時に隣接するコンセントにもプラグを差し込めるように、プラグ避けのための凹形状がケースに備えられている充電器を提供することを目的とする。【解決手段】内部に充電回路を収納した樹脂ケースの一部に上記充電回路に電力を供給する交流電源に接続されるＡＣプラグを不使用時に収納凹部に収納できるように回動可能に取付けるとともに、上記充電回路の出力によって充電される電池を着脱する充電電池装着部を備えた充電器において、前記樹脂ケースの外周部の一部に交流電源としてのコンセントに接続している状態で隣接するコンセントに接続される他のプラグの一部の突出部を回避する円形状の凹穴部からなる回避部を設けたことを特徴とする充電器。【選択図】図１
2013132159.tif 000002
【特許請求の範囲】
【請求項１】
内部に充電回路を収納した樹脂ケースの一部に上記充電回路に電力を供給する交流電源に接続されるＡＣプラグを不使用時に収納凹部に収納できるように回動可能に取付けるとともに、上記充電回路の出力によって充電される電池を着脱する充電電池装着部を備えた充電器において、前記樹脂ケースの外周部の一部に交流電源としてのコンセントに接続している状態で隣接するコンセントに接続される他のプラグの一部の突出部を回避する円形状の凹穴部からなる回避部を設けたことを特徴とする充電器。
【請求項２】
前記樹脂ケースに設ける円形状の回避部を回動可能に取付けたＡＣプラグの取付け部に隣接した部分に設けたことを特徴とする請求項１記載の充電器。
【発明の詳細な説明】
【技術分野】
【０００１】
本発明は交流電源に接続するためのＡＣプラグを有し、前記交流電源を直流電源に変換して電池に充電を行う充電器の構造に関するものである。
【背景技術】
【０００２】
従来の充電器には未使用時および充電器持ち運び時に充電器をコンパクトにするために、ＡＣプラグを不使用時に収納凹部に収納できる機能を備えているものが知られている。
【０００３】
従来の充電器を図６及び図７に示す。
【０００４】
図６は従来の充電器の斜視図である。
【０００５】
充電器の外筐は樹脂材料にて成型されたケース１で成り立っており、内部に充電回路が収納されている。また、ケース１の上面には電池装着部２が備えられている。
【０００６】
図７は従来の充電器の底面方向の斜視図である。ケース１の底面には前記充電回路に電力を供給する交流電源に接続されるＡＣプラグ３を不使用時に収納するための収納凹部４が設けられている。
【先行技術文献】
【特許文献】
【０００７】
【特許文献１】特開平７−２２０７０号公報
【発明の概要】
【発明が解決しようとする課題】
【０００８】
しかしながら前記従来の充電器では、電池を充電するためにコンセントにＡＣプラグを接続した状態にて、隣接するコンセントに他のプラグを接続しようとした際に接続される他のプラグの一部の突出部と充電器のＡＣプラグ側の側面が干渉する可能性があり、隣接するコンセントには他のプラグを接続できなくなってしまう可能性がある、という課題を有していた。
【課題を解決するための手段】
【０００９】
前記の従来技術を解決するために、本発明の充電器は内部に充電回路を収納した樹脂ケースの一部に上記充電回路に電力を供給する交流電源に接続されるＡＣプラグを不使用時に収納凹部に収納できるように回動可能に取付けるとともに、上記充電回路の出力によって充電される電池を着脱する充電電池装着部を備えた充電器において、前記樹脂ケースの外周部の一部に交流電源としてのコンセントに接続している状態で隣接するコンセントに接続される他のプラグの一部の突出部を回避する円形状の凹穴部からなる回避部を設けたことを特徴とするというものである。
【発明の効果】
【００１０】
本発明によると、電池を充電するためにＡＣプラグを収納部から垂直に起こしてコンセントに接続した状態において、隣接するコンセントに他のプラグを充電器と干渉することなく接続することが可能となる。
【図面の簡単な説明】
【００１１】
【図１】本発明の実施の形態に示す充電器の斜視図
【図２】本発明の実施の形態に示す充電器の正面図
【図３】図２の回避部を四角の凹穴部で形成した充電器の正面図
【図４】本発明の実施の形態に示す充電器のコンセント接続時の斜視図
【図５】本発明の実施の形態に示す充電器のコンセント接続時にて隣接するコンセントに他のプラグを接続した状態の斜視図
【図６】従来の充電器の斜視図
【図７】従来の充電器の底面方向の斜視図
【発明を実施するための形態】
【００１２】
以下本発明を実施するための最良の形態について図面を参照しながら説明する。
【００１３】
（実施の形態１）
図１は本発明の実施の形態における充電器の斜視図である。
【００１４】
充電器の外筐は樹脂材料にて成型されたケース１で成り立っており、内部に充電回路が収納されている。
【００１５】
ケース１の上面には電池装着部２が備えられており、ケース１の底面には前記充電回路に電力を供給する交流電源、つまり家庭電源コンセントに接続されるＡＣプラグ３を収納するための収納凹部４が設けられており、ＡＣプラグ３は使用時不使用時に応じて自由に回動させることができる。
【００１６】
またケース１には外周部の一部に交流電源としてのコンセントに接続している状態で隣接するコンセントに接続される他のプラグの一部の突出部との干渉を回避するための凹穴部からなる回避部５が設けられている。
【００１７】
この回避部５はＡＣプラグ３の取付部に隣接した部分に設けられている。
【００１８】
図２は本発明の実施の形態における充電器の正面図である。回避部５はケース１の側面にて円形状の凹穴にて形成されている。
【００１９】
この凹穴部を円形ではなく四角の凹穴形状にして形成した場合の正面図を図３に示す。
【００２０】
回避部５を四角形状で凹穴形成することにより、エッジ部６ａやエッジ部６ｂが発生してしまい、ケース１を射出成型した際にこの部分が樹脂流動性を悪化させ、外観不良を発生させてしまう可能性を備えていた。
【００２１】
また、充電器の強度試験を行った際にエッジ部６ａ及びエッジ部６ｂに応力が集中してしまい、充電器を破損する可能性を備えていた。
【００２２】
この課題を解決するために本発明ではこの回避部５を円形状の凹穴にすることで、ケース１の射出成型時の樹脂流動性を良化し、且つ充電器の強度試験を行った際にも応力を分散させ、部分的に応力が集中しない構造をすることを可能としている。
【００２３】
図４は本発明の実施の形態における充電器のコンセント接続時の斜視図である。
【００２４】
電池を充電するためにＡＣプラグ３を収納凹部４から垂直に起こした状態にてコンセント７に充電器の接続を行う状態を示している。
【００２５】
コンセント７にＡＣプラグ３を接続することによって、コンセント部分から電力がＡＣプラグ３の栓刃部分を伝わって前記回路基板に供給され、その回路基板内で電流が直流変換されることによって電池に電力が供給される仕組みとなっている。
【００２６】
またコンセント７に充電器が接続された状態でも隣接するコンセント８より電力が供給できる状態となっているがプラグを接続できるスペースが限定された状態となっている。
【００２７】
図５は本発明の実施の形態に示す充電器のコンセント接続時にて隣接するコンセントに他のプラグを接続した状態の斜視図である。
【００２８】
電池を充電するためにＡＣプラグ３を収納凹部４から垂直に起こした状態にてコンセント７に充電器を接続した状態にて、隣接するコンセント８に他のプラグ９を接続した状態を示している。
【００２９】
充電器のケース１には隣接するコンセント８に接続される他のプラグ９の一部の突出部を回避するために、円形状の凹穴部からなる回避部５が設けられていることにより、他のプラグ９を充電器と干渉することなく隣接するコンセント８に接続することができる。
【産業上の利用可能性】
【００３０】
本発明にかかる充電器は、電池を充電するためにＡＣプラグを収納部から垂直に起こしてコンセントに接続した状態において、隣接するコンセントに他のプラグを充電器と干渉することなく接続することが可能になるので、ＡＣプラグを備える充電器の構造として有用である。
【符号の説明】
【００３１】
１    ケース
２    電池装着部
３    ＡＣプラグ
４    収納凹部
５    回避部
６ａ  エッジ部
６ｂ  エッジ部
７    コンセント
８    隣接するコンセント
９    他のプラグ
【図１】
2013132159.tif 000003
【図２】
2013132159.tif 000004
【図３】
2013132159.tif 000005
【図４】
2013132159.tif 000006
【図５】
2013132159.tif 000007
【図６】
2013132159.tif 000008
【図７】
2013132159.tif 000009